(57)【要約】【課題】スクリューの浮き上がりを防止し、遊戯媒体を安定して搬送する。【解決手段】  上部開口部４を有する搬送路３と、搬送路３内に設けられ遊戯媒体たるコイン102を移動させるスクリュー５Ｂと、このスクリュー５Ｂを回転駆動する回転駆動手段たるモータ31と、搬送路３の上部開口部４側に設けられスクリュー５Ｂを押える上部側３Ｕ，３Ｕ及び押え部22とを備える。モータによりスクリュー５Ｂを回転し、この回転するスクリュー５Ｂによりコイン102が搬送される。そして、回転するスクリュー５Ｂの上部が上部側３Ｕ，３Ｕ及び押え部22により押えられているため、多量のコイン102を搬送しても、スクリュー５Ｂの浮き上がりが予防され、スクリュー５Ｂと搬送路２内面との間にコイン102が挟まれることを予防できる。【選択図】図１
2007175398.tif 000002
【特許請求の範囲】
【請求項１】
開口部を有する搬送路と、前記搬送路内に設けられ遊戯媒体を移動させるスクリューと、このスクリューを回転駆動する回転駆動手段と、前記搬送路の前記開口部側に設けられ前記スクリューを押える押え部とを備えることを特徴とする遊戯媒体搬送装置。
【請求項２】
前記スクリューがシャフトに設けられ、前記回転駆動手段は前記シャフトを回転駆動することを特徴とする請求項１記載の遊戯媒体搬送装置。
【請求項３】
前記遊戯媒体がコインであることを特徴とする請求項１又は２記載の遊戯媒体搬送装置。
【請求項４】
前記遊戯媒体がパチンコ玉であることを特徴とする請求項１又は２記載の遊戯媒体搬送装置。
【発明の詳細な説明】
【技術分野】
【０００１】
本発明は、コインやパチンコ玉などの遊戯媒体を搬送する搬送装置に関する。
【背景技術】
【０００２】
従来、この種のコインやパチンコ玉などを用いる遊戯施設では、コインやパチンコ玉の回収、供給などに搬送装置が用いられている。
【０００３】
例えば、遊戯媒体であるコインに関して、複数のパチンコ機や台間球貸し機を列設して成る遊技機島を装備した遊技店内では、各台間球貸し機に投入されたコインを回収するための装置として、遊技機島の内部にて島長手方向に延びるように配設された島内ベルトコンベヤと、該島内ベルトコンベヤによって島端の回収箱に集められたコインを店内事務所の金庫まで搬送する島外ベルトコンベヤとを組み合せた装置（例えば特許文献１）があり、また、搬送にベルトコンベヤを用いた遊戯媒体搬送装置（例えば特許文献２）や、無端ベルトの長さ調整装置を設けたもの（例えば特許文献３）がある。
【０００４】
また、遊戯媒体であるパチンコ玉に関して、パチンコ島の上部タンクと、当該上部タンクと他のパチンコ島の上部タンクとを連結機構を介して連結可能なパチンコ玉搬送コンベヤであって、長さ方向一端と他端との間で並列する一方の搬送 路及び他方の搬送路とを有するベルト支持レールと、各々一対の側壁及びローラー群を備え、かつ、当該ベルト支持レールの一端側及び他端側に接続機構を介して接続した両駆動ユニットと、当該ローラー群間に架け渡され互いに逆方向に回転する一方の搬送 ベルト及び他方の搬送ベルトと、当該両搬送ベルトを下方から押圧するために当該両駆動ユニットの各々が有する両テンションローラー群とを備えたパチンコ玉搬送コンベヤがある。
【０００５】
上記のように、ベルトコンベヤ式のものでは、搬送する遊戯媒体が集まるとベルトに加わる張力が大となるため、伸びが発生し易く、耐久性に劣る面がある。このため、上記のように長さ調整装置やテンションローラーが必要となり、装置が複雑になると共に、メンテナンスに手間を掛かる面がある。
【０００６】
ところで、遊戯媒体の搬送とは異なるが、この種の遊戯施設において、吸殻を回収するために、搬送レール内にスクリューシャフトを設けた吸殻回収装置（例えば特許文献５）がある。
【特許文献１】特開平９−２８９１３号公報（段落０００２段）
【特許文献２】特開２００５−５９１号公報
【特許文献３】特開２００４−２１５８８２号公報
【特許文献４】特開２００５−１６９０１０号公報
【特許文献５】実用新案登録第３１０１１１３号公報
【発明の開示】
【発明が解決しようとする課題】
【０００７】
上記吸殻回収装置では、吸殻と異なる遊戯媒体を搬送した場合、搬送量が大になると、遊戯媒体が自重により底部側に集まり、スクリューが浮き上がったり、或いはスクリュー外周と搬送レール内面との間に遊戯媒体が挟まってスクリューが浮き上がったりして、搬送不良を起こす虞がある。
【０００８】
そこで、本発明は、スクリューの浮き上がりを防止し、耐久性に優れた遊戯媒体搬送装置を提供することを目的とする。
【課題を解決するための手段】
【０００９】
請求項１の発明は、開口部を有する搬送路と、前記搬送路内に設けられ遊戯媒体を移動させるスクリューと、このスクリューを回転駆動する回転駆動手段と、前記搬送路の前記開口部側に設けられ前記スクリューを押える押え部とを備えるものである。
【００１０】
また、請求項２の発明は、前記スクリューがシャフトに設けられ、前記回転駆動手段は前記シャフトを回転駆動するものである。
【００１１】
また、請求項３の発明は、前記遊戯媒体がコインであるものである。
【００１２】
また、請求項４の発明は、前記遊戯媒体がパチンコ玉であるものである。
【発明の効果】
【００１３】
請求項１の構成によれば、回転駆動手段によりスクリューを回転し、この回転するスクリューにより遊戯媒体が搬送される。そして、回転するスクリューの上部が押え部により押えられているため、多量の遊戯媒体を搬送しても、スクリューの浮き上がりが予防され、スクリューと搬送路内面との間に遊戯媒体が挟まれることも予防でき、従来のベルトやチェーンを用いるものに比べて耐久性に優れた搬送装置が得られる。
【００１４】
また、請求項２の構成によれば、シャフトを回転駆動することにより遊戯媒体が搬送され、押え部によりシャフトの浮き上がりが予防され、安定して回転駆動することができる。
【００１５】
また、請求項３の構成によれば、大量のコインを安定して搬送することができ、回転駆動手段による回転方向を切り替えることにより、両方向に搬送することもできる。
【００１６】
また、請求項４の構成によれば、大量のパチンコ玉を安定して搬送することができ、回転駆動手段による回転方向を切り替えることにより、両方向に搬送することもできる。
【発明を実施するための最良の形態】
【００１７】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる遊戯媒体搬送装置を採用することにより、従来にない遊戯媒体搬送装置が得られ、その遊戯媒体搬送装置を夫々記述する。
【実施例１】
【００１８】
以下、本発明の実施例１について図１〜図７を参照して説明する。図７の説明図に示すように、搬送装置１は、例えば、複数の遊技機101からなる遊技機島において、向かい合う遊技機101，101の間で、複数隣り合う遊技機101，101・・・の並び方向に設けられる。尚、この例の遊戯機101は、コイン102を遊戯媒体として用いる所謂「パチスロ」と称される回胴式遊技機や、スロットルマシンなどである。
【００１９】
前記搬送装置１は、内部に搬送路２を形成する搬送樋３と、この搬送樋３の長さ方向全長に渡って開口する開口部たる上部開口部４と、前記搬送路２内に配置されるスクリューシャフト５を備え、このスクリューシャフト５は、シャフト５Ａとこのシャフト５Ａに一体に設けたスクリュー５Ｂからなり、例えば硬質合成樹脂からなる。
【００２０】
前記上部開口４には、前記遊戯機101からのコインを回収する回収ダクト103が接続されて、回収ダクト103は遊戯機101に対応して複数所定間隔で設けられる。
【００２１】
前記搬送樋３は、合成樹脂製などからなるパイプから形成され、この断面円形を成すパイプの全周の約４分の１を開口して前記上部開口部４が形成される。また、この上部開口部４には、投入受口11が接続され、この投入受口11は、搬送路２のほぼ全長に設けられ、左右一対の斜材12，12からなり、前記斜材12には、取付用のビス孔12Ａが穿設され、さらに、その斜材12の上部には、取付状態で縦方向となる垂直部12Ｂが設けられている。
【００２２】
前記投入口11は、取付部材13により前記搬送樋３に取り付けられる。この取付部材13は、左右一対の分割取付体14，14からなり、この分割取付体14は、前記搬送樋３の長さ方向両側の前後板部15，15と、これら前後板部15，15の下部を連結する下フランジ部16と、それら前後板部15，15の上側を連結する上取付板部17とを備え、この上取付板部17は、取付部材13の組み立て状態で、斜設され、具体的には前記搬送樋３の中心を通る水平と４５度をなす仮想線上に位置する。そして、上部開口部４の搬送路２の断面における角度θは９０度である。
【００２３】
また、前記前後板部15の縁には、前記搬送樋３に外嵌する円弧状の外嵌縁部15Ｆが形成され、さらに、前記下フランジ部16には、組立手段たるボルト18を挿通する透孔16Ａを穿設し、前記上取付板部17には、前記斜材12を固定するための螺子孔17Ａが穿設される。尚、前記ビス孔12Ａ及び螺子孔17Ａは、斜材12に工場などで予め穿設しておいてもよいし、斜材12の取付け時に現場などで穿設してもよい。
【００２４】
そして、搬送樋３の左右方向から分割取付体15，15を外嵌し、下フランジ部17，17同士を突合せ、透孔16Ａ，16Ａにボルト18を挿通し、このボルト18にナット18Ａを螺合して締め付け固定し、このようにして、搬送樋３の長さ方向に複数の取付部材13，13…を取り付ける。取り付け後、前記上取付板部17に斜材12の下面を沿わせ、ビス19をビス孔12Ａに挿通し、ねじ孔17Ａに螺合することにより、搬送樋３に投入受口11を取り付ける。尚、符号20は、前後板部15，15の下側を連結する上連結板部である。
【００２５】
前記スクリュー５Ｂの外径は前記搬送樋３の内径より僅かに小さく形成されている。そして、前記搬送樋３の上部側３Ｕ，３Ｕにより、前記スクリュー５Ｂを押える押え部を構成している。そして、前記角度θが小さいほど押える力が得られるが、上部開口部４が小さくなり、前記角度θが大きいほど押える力が小さくなるから、角度θは６０〜１２０度程度が好ましい。
【００２６】
また、前記投入受口11には、少なくとも前記回収ダクト103と連通する部分を除いて、押え部材21により押え部22が設けられている。この押え部22は、ブロック状の前記押え部材21の下面に形成された円弧状面により構成され、前記押え部22と左右の外嵌縁部17Ｆ，17Ｆとにより、スクリュー５Ｂの外径より僅かに大きな円が形成される。また、前記押え部22の両側には、前記斜材12の外面に対応して傾斜面23が形成されており、前記押え部材22の下部を投入受口11に嵌め入れることにより、上部開口部４を前記押え部22が塞ぐ。また、前記押え部材21は金属よりは柔らかい合成樹脂などからなり、好ましくは、前記スクリュー５Ｂと同一硬度又は柔らかい材質のものが用いられる。
【００２７】
スクリューシャフト５の一端には、該スクリューシャフト５に回転力を与える回転駆動手段たるモータ31が設けられている。この正逆回転可能なモータ31は、前記スクリューシャフト５の下部に設置されており、出力軸32の先端には同軸に第１の歯車33が連結され、該第１の歯車33が、スクリューシャフト５の先端に同軸に連結された第２の歯車34に噛み合うことによって、モータ31の回転力が前記第１および第２の歯車33，34を介して、前記スクリューシャフト５へ伝達される。このようにモータ31をスクリューシャフト５の下部に設置したことによって、水平方向に小型化することができる。
【００２８】
次に、前記構成につき、その作用を説明すると、モータ31を駆動すると、スクリューシャフト５が回転し、回収ダクト103から搬送路３に送られたコイン102が、該搬送路３内を移送される。この際、搬送路３に多数のコイン102が溜まると、コイン102は自重により搬送路３の底部側に溜まり、スクリューシャフト５を浮き上がらせる力が加わり、或いは搬送路３の底部とスクリュー５Ｂの外周との間にコイン102が入り込み、スクリューシャフト５を浮き上がらせる力が働くが、本搬送装置１では、搬送路３を構成する搬送樋３の上部側３Ｕ，３Ｕと、押え部材21の押え部22により、スクリューシャフト５の浮き上がりを防止し、安定した搬送が可能となる。
【００２９】
また、搬送路３は、金属より柔らかい合成樹脂製のパイプからなり、押え部22も、金属より柔らかい合成樹脂からなるから、スクリュー５Ｂの磨耗を抑制することができる。
【００３０】
このように本実施例では、請求項１に対応して、開口部たる上部開口部４を有する搬送路３と、搬送路３内に設けられ遊戯媒体たるコイン102を移動させるスクリュー５Ｂと、このスクリュー５Ｂを回転駆動する回転駆動手段たるモータ31と、搬送路３の上部開口部４側に設けられスクリュー５Ｂを押える押え部たる上部側３Ｕ，３Ｕ及び押え部22とを備えるから、モータ31によりスクリュー５Ｂを回転し、この回転するスクリュー５Ｂによりコイン102が搬送される。そして、回転するスクリュー５Ｂの上部が上部側３Ｕ，３Ｕ及び押え部22により押えられているため、多量のコイン102を搬送しても、スクリュー５Ｂの浮き上がりが予防され、スクリュー５Ｂと搬送路２内面との間にコイン102が挟まれることを予防できる。したがって、従来のベルトやチェーンを用いるものに比べて耐久性に優れた搬送装置１が得られる。
【００３１】
また、このように本実施例では、請求項２に対応して、スクリュー５Ｂがシャフト５Ａに設けられ、回転駆動手段たるモータ31はシャフト５Ａを回転駆動するから、シャフト５Ｂを回転駆動することによりコイン102が搬送され、押え部によりシャフト５Ａの浮き上がりが予防され、安定して回転することができる。
【００３２】
また、このように本実施例では、請求項３に対応して、遊戯媒体がコイン102であるから、大量のコイン102を安定して搬送することができ、モータ31による回転方向を切り替えることにより、両方向に搬送することもできる。
【００３３】
また、実施例上の効果として、取付部材13により投入受口11を搬送路２に簡便に取り付けることができ、その投入受口11に勘合する押え部材21によりスクリューシャフト５を抑える押え部22を配置することができる。尚、押え部材21を投入受口11或いは搬送樋３に別途固定手段を用いて固定するようにしてもよい。
【実施例２】
【００３４】
図８は本発明の実施例２を示し、上記実施例１と同一部分に同一符号を付し、その詳細な説明を省略して詳述すると、この例では、遊戯媒体がパチンコ玉105であり、モータ31を正逆回転することにより、搬送路２のパチンコ玉105を両方向に搬送することができる。
【００３５】
このように本実施例においても、パチンコ玉105は自重により搬送路２の底部側に溜まり、スクリューシャフト５を浮きあげる力が働いても、請求項１及び２に対応して、押え部たる上部側３Ｕ，３Ｕ及び押え部22により、上記実施例１と同様な作用・効果を奏し、また、このように本実施例では、請求項４に対応して、遊戯媒体がパチンコ玉105であるから、大量のパチンコ玉105を安定して搬送することができ、モータ31による回転方向を切り替えることにより、両方向に搬送することもできる。
【実施例３】
【００３６】
図９は本発明の実施例３を示し、上記各実施例と同一部分に同一符号を付し、その詳細な説明を省略して詳述すると、この例のスクリュー５Ｂは、ばね鋼などをコイル状に巻いたコイル材６からなり、このコイル材６は所定ピッチＰで外径Ｄを有し、前記押え部22と左右の外嵌縁部17Ｆ，17Ｆとにより、コイル材６の外径Ｄより僅かに大きな円が形成される。
【００３７】
このように本実施例でも、コイル材６からなるスクリュー５Ｂにより、コイン102やパチンコ玉105を搬送することができ、上記実施例１と同様な作用・効果を奏する。
【００３８】
以上、本発明の実施例について詳述したが、本発明は、前記実施例に限定されるものではなく、本発明の要旨の範囲内で種々の変形実施が可能である。例えば、押え部は、上部側３Ｕと押え部22の少なくとも一方があればよいことはいうまでもない。
【図面の簡単な説明】
【００３９】
【図１】本発明の実施例１を示す押え部材を図示した搬送路の断面図である。
【図２】同上、搬送路の断面図である。
【図３】同上、取付部材の要部の側面図である。
【図４】同上、取付部材の要部の正面図である。
【図５】同上、搬送装置の長手方向の断面図である。
【図６】同上、回転駆動手段周りの断面図である。
【図７】同上、遊技機周りの断面説明図である。
【図８】本発明の実施例２を示す搬送路の断面図である。
【図９】本発明の実施例３を示すスクリューの斜視図である。
【符号の説明】
【００４０】
１  搬送装置
２  搬送路
３Ｕ  上部側（押え部）
４  上部開口部（開口部）
５  スクリューシャフト
５Ａ  シャフト
５Ｂ  スクリュー
22  押え部
31  モータ（回転駆動手段）
101  遊技機
102  コイン（遊戯媒体）
105  パチンコ玉（遊戯媒体）
【図１】
2007175398.tif 000003
【図２】
2007175398.tif 000004
【図３】
2007175398.tif 000005
【図４】
2007175398.tif 000006
【図５】
2007175398.tif 000007
【図６】
2007175398.tif 000008
【図７】
2007175398.tif 000009
【図８】
2007175398.tif 000010
【図９】
2007175398.tif 000011